(57)【要約】  【課題】  ディスク状記録媒体からのデジタルデータ再生技術において、再生データの信頼性を向上させる。  【解決手段】  再生したデータに対して訂正処理を行ったときに訂正不能の場合は、ＥＤＣチェックで誤りありとなるセクタの検出またはＩＤの連続性のチェックを行い、再度、内符号による訂正処理を行い、訂正結果によるフラグを上記ＥＤＣチェックまたはＩＤ連続性のチェックの結果によって書き換え、次に、外符号による訂正処理を行う。【選択図】  図１
2005228417.tif 000002
【特許請求の範囲】
【請求項１】
ディスク状記録媒体からデジタルデータを再生するデジタルデータ再生方法であって、
ａバイトのユーザデータに付属データと誤り検出符号とを付加したｃ個のセクタのそれぞれを、ｂ個のフレームに分割してフレーム同期信号を付加し、ｂ*ｃフレームのデータをセクタ順に列にして（ｂ*ｃ）行、ｄ列の第１のマトリクスを形成し、該第１のマトリクスの各行にはｅバイトの内符号を付加し、各列にはｃバイトの外符号を付加して１訂正ブロックを形成する第１のステップと、
上記ｃバイトの外符号を上記ｃ個のセクタの最後尾に１行ずつ挿入する並べ替えを行い、新たな（ｂ＋１）*ｃ行、ｄ＋ｅ列の第２のマトリクスを形成する第２のステップと、
上記第２のマトリクスのデータを行順に再生する第３のステップと、
上記再生されたデータに対し、上記内符号及び上記外符号によって誤り訂正処理を行う第４のステップと、
上記訂正処理において訂正不能とされた場合、誤り検出符合により誤り有りと判定されたセクタを記録する第５のステップと、
上記誤り有りとされたセクタのデータを破壊する第６のステップと、
再度、上記内符号及び上記外符号によって誤り訂正処理を行う第７のステップと、
を経て、デジタルデータを再生することを特徴とするデジタルデータの再生方法。
【請求項２】
ディスク状記録媒体からデジタルデータを再生するデジタルデータ再生方法であって、
ａバイトのユーザデータにセクタ識別番号を含む付属データと誤り検出符号とを付加したｃ個のセクタのそれぞれを、ｂ個のフレームに分割してフレーム同期信号を付加し、ｂ*ｃフレームのデータをセクタ順に列にして（ｂ*ｃ）行、ｄ列の第１のマトリクスを形成し、該第１のマトリクスの各行にはｅバイトの内符号を付加し、各列にはｃバイトの外符号を付加して１訂正ブロックを形成する第１のステップと、
上記ｃバイトの外符号を上記ｃ個のセクタの最後尾に１行ずつ挿入する並べ替えを行い、新たな（ｂ＋１）*ｃ行、ｄ＋ｅ列の第２のマトリクスを形成する第２のステップと、
上記第２のマトリクスのデータを行順に再生する第３のステップと、
上記再生されたデータに対し、上記内符号及び上記外符号によって誤り訂正処理を行う第４のステップと、
上記訂正処理において訂正不能とされた場合、上記セクタ識別符号が誤りとされたセクタを記録する第５のステップと、
上記セクタ識別符号が誤りとされたセクタのデータを破壊する第６のステップと、
再度、上記内符号及び上記外符号によって誤り訂正処理を行う第７のステップと、
を経て、デジタルデータを再生することを特徴とするデジタルデータの再生方法。
【請求項３】
ディスク状記録媒体からデジタルデータを再生するデジタルデータ再生方法であって、
ａバイトのユーザデータに付属データと誤り検出符号とを付加したｃ個のセクタのそれぞれを、ｂ個のフレームに分割してフレーム同期信号を付加し、ｂ*ｃフレームのデータをセクタ順に列にして（ｂ*ｃ）行、ｄ列の第１のマトリクスを形成し、該第１のマトリクスの各行にはｅバイトの内符号を付加し、各列にはｃバイトの外符号を付加して１訂正ブロックを形成する第１のステップと、
上記ｃバイトの外符号を上記ｃ個のセクタの最後尾に１行ずつ挿入する並べ替えを行い、新たな（ｂ＋１）*ｃ行、ｄ＋ｅ列の第２のマトリクスを形成する第２のステップと、
上記第２のマトリクスのデータを行順に再生する第３のステップと、
上記再生されたデータに対し、上記内符号及び上記外符号によって誤り訂正処理を行う第４のステップと、
上記訂正処理において訂正不能とされた場合、誤り検出符合によりセクタにおける誤りの有無を検出し、誤り有りとされたセクタを記録する第５のステップと、
再度、上記内符号によって誤り訂正処理を行う第６のステップと、
上記第５のステップで誤り有りとされたセクタのデータに付加されているフラグを誤り有りのフラグに置き換える第７のステップと、
再度、上記外符号によって誤り訂正処理を行う第８のステップと、
を経て、デジタルデータを再生することを特徴とするデジタルデータの再生方法。
【請求項４】
ディスク状記録媒体からデジタルデータを再生するデジタルデータ再生方法であって、
ａバイトのユーザデータにセクタ識別番号を含む付属データと誤り検出符号とを付加したｃ個のセクタのそれぞれを、ｂ個のフレームに分割してフレーム同期信号を付加し、ｂ*ｃフレームのデータをセクタ順に列にして（ｂ*ｃ）行、ｄ列の第１のマトリクスを形成し、該第１のマトリクスの各行にはｅバイトの内符号を付加し、各列にはｃバイトの外符号を付加して１訂正ブロックを形成する第１のステップと、
上記ｃバイトの外符号を上記ｃ個のセクタの最後尾に１行ずつ挿入する並べ替えを行い、新たな（ｂ＋１）*ｃ行、ｄ＋ｅ列の第２のマトリクスを形成する第２のステップと、
上記第２のマトリクスのデータを行順に再生する第３のステップと、
上記再生されたデータに対し、上記内符号及び上記外符号によって誤り訂正処理を行う第４のステップと、
上記訂正処理において訂正不能とされた場合、セクタ識別符号の誤りの有無を検出して該セクタ識別符号が誤りとされたセクタを記録する第５のステップと、
再度、上記内符号によって誤り訂正処理を行う第６のステップと、
上記第５のステップで上記セクタ識別符号が誤りとされたセクタのデータに付加されているフラグを誤り有りのフラグに置き換える第７のステップと、
再度、上記外符号によって誤り訂正処理を行う第８のステップと、
を経て、デジタルデータを再生することを特徴とするデジタルデータの再生方法。
【請求項５】
上記第５のステップでは、上記セクタ識別符号の誤りの検出を、該セクタ識別番号の連続性に基づき行う請求項４に記載のデジタルデータの再生方法。
【請求項６】
ディスク状記録媒体からデジタルデータを再生するデジタルデータ再生装置であって、
ａバイトのユーザデータに付属データと誤り検出符号とを付加したｃ個のセクタのそれぞれを、ｂ個のフレームに分割してフレーム同期信号を付加し、ｂ*ｃフレームのデータをセクタ順に列にして（ｂ*ｃ）行、ｄ列の第１のマトリクスを形成し、該第１のマトリクスの各行にはｅバイトの内符号を付加し、各列にはｃバイトの外符号を付加して１訂正ブロックを形成する手段と、
上記ｃバイトの外符号を上記ｃ個のセクタの最後尾に１行ずつ挿入する並べ替えを行い、新たな（ｂ+１）*ｃ行、ｄ+ｅ列の第２のマトリクスを形成する手段と、
上記第２のマトリクスのデータを行順に再生し、該再生されたデータに対し、上記内符号及び上記外符号による誤り訂正処理を行う手段と、
上記誤り検出符合によりセクタにおける誤りの有無を検出する手段と、
上記内符号による誤り訂正処理を行い、上記誤り有りとされたセクタのデータに付加されているフラグを誤り有りのフラグに置き換える手段と、
を備え、デジタルデータを再生することを特徴とするデジタルデータ再生装置。
【請求項７】
ディスク状記録媒体からデジタルデータを再生するデジタルデータ再生装置であって、
ａバイトのユーザデータにセクタ識別番号を含む付属データと誤り検出符号とを付加したｃ個のセクタのそれぞれを、ｂ個のフレームに分割してフレーム同期信号を付加し、ｂ*ｃフレームのデータをセクタ順に列にして（ｂ*ｃ）行、ｄ列の第１のマトリクスを形成し、該第１のマトリクスの各行にはｅバイトの内符号を付加し、各列にはｃバイトの外符号を付加して１訂正ブロックを形成する手段と、
上記ｃバイトの外符号を上記ｃ個のセクタの最後尾に１行ずつ挿入する並べ替えを行い、新たな（ｂ+１）*ｃ行、ｄ+ｅ列の第２のマトリクスを形成する手段と、
上記第２のマトリクスのデータを行順に再生し、該再生されたデータに対し、上記内符号及び上記外符号による誤り訂正処理を行う手段と、
上記セクタ識別符号の不連続を検出する手段と、
上記セクタ識別符号の不連続が検出されたセクタの、内符号による誤り訂正処理結果のフラグを誤りありのフラグに置き換える手段と、
を備え、デジタルデータを再生することを特徴とするデジタルデータ再生装置。
【発明の詳細な説明】
【技術分野】
【０００１】
本発明は、ディスク状記録媒体からデジタルデータを再生する再生技術に関し、特に誤り訂正処理技術に関する。
【背景技術】
【０００２】
ディスク状記録媒体としての例えばＣＤもＤＶＤも、誤り訂正符号としては、クロスインターリーブされたリードソロモン符号が付加されている。このため、誤り訂正処理としては、シンドローム訂正のみでなく、イレージャ訂正も行うことができ、高い訂正能力を実現している。特にＤＶＤでは、直交した内符号ＰＩと外符号ＰＯが付加されており、また、各内符号系列には行毎に異なるパターンが与えられる同期信号が付加され、行番号が付されているのと同様になっている（例えば、非特許文献１を参照）。ディスク上の欠陥により同期クロックの再生が正確に行えず、行の欠落が発生した場合において、該欠落行以降を全て前詰にしてしまい、外符号において欠落行の後の全てのデータの位置がずれてしまうと、欠落行以降の全てのデータが誤りデータとなってしまう（これをインターリーブずれによるエラー伝播という）。しかし、行番号相当の同期符号によって、正しい位置にデータを配置できるため、欠落があってもその後の行は正しい位置に配置され、誤りが大きく伝播することはない。こうして高いデータ信頼性を実現している。
【０００３】
【非特許文献１】“ＤＶＤ技術”  トリケップス社版  ｐ．２５−３３
【発明の開示】
【発明が解決しようとする課題】
【０００４】
ＤＶＤにおいて、内符号による誤り訂正処理の結果をフラグ情報として残し、外符号ではフラグ情報によって確からしさが低いと判断されるデータに対して訂正を行うポインタイレージャを行うことができる。これにより、ＤＶＤ外符号ではシンドローム演算のみからは最大で８バイトのデータしか訂正できないの対し、ポインタイレージャを使うことで最大１６バイトの訂正までが可能になる。しかしながら、フラグ情報に誤りがある場合、エラーを示すフラグが１６個のときには誤訂正が行われ、一方、エラーを示すフラグが９〜１５個のときには、誤訂正を避けるために、訂正を行わずに全てをエラーと判断してしまう
上記のように位置ずれに対しては、行番号相当の同期符号によりインターリーブずれにも高い耐性を有するが、トラックずれが生じて、別のブロックの同じ行を途中からつなげてしまうと、該行番号相当の同期符号によっても該不連続性を検知することができない。このため、不連続データを連続データとして扱ってしまう。外符号でイレージャを行う場合、個々は正しいが不連続データを扱うため、本来は誤りとされるべきであるにもかかわらず、誤ったフラグが正しいフラグとして付加される。このため、イレージャは行えなくなり、最大で８バイトの訂正までしか実行できなくなる。
【０００５】
本発明の課題点は、上記従来技術の状況に鑑み、デジタルデータ再生技術において、トラックずれが発生して別ブロックのデータが再生された場合にも、イレージャ訂正を可能とし、各系列１６バイトまでの訂正ができるようにすることである。
本発明の目的は、上記課題点を解決し、再生データの信頼性を向上させる技術を提供することにある。
【課題を解決するための手段】
【０００６】
上記課題点を解決するために、本発明では、トラックずれが生じて、別のブロックのデータを再生されたと判断される内符号系列のデータを、破壊することで、エラーフラグが誤りありを示すようにさせる。これにより、フラグ情報が正しくなるため、外符号によるイレージャが可能となり、最大１６バイトのエラーまでを訂正できるようになる。また、トラックずれが生じて、別のブロックのデータが再生された場合は、異なる系列のデータがディスクに上書きされるため、当該セクタの誤り検出符号ＥＤＣは誤りありの結果となる。誤りありとされたセクタのデータを破壊した上で誤り訂正処理を行う。また、１セクタ分のデータがトラックずれを起こした場合は、セクタ番号の連続性をチェックすることでトラックずれを起こしたセクタを検出する。トラックずれが検出されたセクタのデータを破壊した上で誤り訂正処理を行う。これによって、外符号による各系列１６バイトまでの訂正を可能にする。
【発明の効果】
【０００７】
本発明によれば、ディスク状記録媒体からのデジタルデータの再生において、トラックジャンプが生じたときにも、外符号によるイレージャ訂正を正確に行うことができ、高いデータ信頼性を確保することができる。
【発明を実施するための最良の形態】
【０００８】
以下、本発明を実施するための最良の形態につき、図面を用いて説明する。
以下の実施形態では、ユーザデータを決められた単位で分割し、インクリメントされるセクタナンバーと誤り検出符号が付加された１６個のセクタでＥＣＣブロックを構成し、内符号と外符号の誤り訂正符号が付加されているデータを、ディスク状記録媒体から再生して訂正処理を行う。訂正不能となった場合は、トラックずれとみなし、内符号による誤り訂正を再度行うが、誤り検出符号もしくはセクタナンバー連続性チェックで「誤り有り」と判定されたセクタの内符号によるフラグ情報を、「誤り無し」から「誤り有り」に書き換え、次に、外符号とフラグ情報に従って訂正を行う。
【０００９】
図１は、本発明のデジタルデータ再生装置の第１の実施形態としてのＤＶＤ再生装置の構成例図である。
図１において、１０１はディスク状記録媒体、１０２はスピンドルモータ、１０４はオプティカルピックアップ、１０５は、サーボ誤差信号の生成や再生信号の波形等価を行うアナログフロントエンド、１０６は、同期信号の検出と復調を行う復調回路、１１３は、復調回路の出力からバッファＲＡＭ１１４へのデータのライトを制御するＲＡＭ制御回路、１０７は、バッファＲＡＭ１１４にライトされたデータに対して、付加された内符号に従い誤り訂正を行う誤り訂正回路であるＰＩ訂正回路、１０８は、誤り訂正回路１０７により誤り訂正処理が行われたバッファＲＡＭ１１４のデータに対して、付加された外符号に従って誤り訂正を行う誤り訂正回路であるＰＯ訂正回路、１０９は、誤り訂正が行われるＥＣＣブロックを１６のセクタに分け該セクタ単位に付加された誤り検出符号により該セクタの誤り検出を行うセクタ誤り検出回路、１１０は、セクタ誤り検出回路１０９の誤り検出結果に従い、内符号による誤り訂正結果のフラグを書き換えるフラグ書換え手段、１１１は、バッファＲＡＭ１１４に格納され、訂正が終了したデータを出力する出力インターフェース回路、１１２は出力端子である。上記ＤＶＤ再生装置では、内符号による訂正処理後、外符号と内符号訂正のフラグに従って訂正処理を行い、訂正不能となった場合は、再度、内符号による訂正処理を行うとともに、誤り検出演算で「誤り有り」と判定されたセクタのフラグを「誤り有り」に書き換える。すると、１セクタ未満のトラックずれが生じた場合、内符号によるフラグは当初は「誤り無し」とされるが、誤り検出演算で誤りが検出され、フラグ書換え回路１１０により当該セクタの内符号によるフラグは「誤り有り」に置き換えられる。次に、置き換え処理の終わった後の内符号訂正のフラグと外符号に従って誤り訂正処理が行われる。置き換え処理によって別トラックのデータが書き込まれてしまった箇所は、「誤り有り」のフラグが付加されるため、フラグが正しく付加されるようになり、この結果、イレージャ訂正が可能となる。
上記第１の実施形態によれば、トラックずれにより他のトラックのデータが１セクタ未満のデータが書き込まれた場合も、正しくデータ再生が可能となる。
【００１０】
図２は、本発明のデジタルデータ再生装置の第２の実施形態としてのＤＶＤ再生装置の構成例図である。本第２の実施形態としてのＤＶＤ再生装置では、ＩＤ連続チェック手段２０１を、上記図１のＥＤＣ検出回路１０９に替えて設ける。その他の部分の構成は、上記図１に示す第１の実施形態の構成と同じである。
図２において、ＩＤ連続チェック手段２０１はセクタ単位で付加されているセクタ番号が連続しているかをチェックする。従って、１セクタ以上のデータがトラックずれを起こし、別トラックのデータが混入したことを検出できるようになる。内符号、外符号による訂正処理の後、訂正不能になった場合、再度、内符号による訂正処理を行うとともに、ＩＤ連続チェック手段２０１で不連続と判定されたセクタのフラグを「誤り有り」に書き換える。１セクタのトラックずれが生じた場合、内符号によるフラグは当初は「誤り無し」とされるが、ＩＤ連続チェック手段２０１で誤りが検出され、フラグ書換え回路１１０により当該セクタの内符号によるフラグは「誤り有り」に置き換えられる。次に、置き換え処理の終わった後の内符号訂正のフラグと外符号に従って誤り訂正処理が行われる。置き換え処理によって別トラックのデータが書き込まれてしまった箇所は、「誤り有り」のフラグが付加されるため、フラグが正しく付加されるようになり、イレージャ訂正が可能となる。
【００１１】
図３、４は、上記第２の実施形態におけるデータの説明図である。図３は、ディスク状記録媒体から再生される信号の１ブロック分の配置を示し、図４は、記録媒体上のデータトラックを示す。
図３において、ＳＹ０、ＳＹ１、ＳＹ２、ＳＹ３及びＳＹ４はフレームＳＹＮＣ信号、ＳＹ５、ＳＹ６及びＳＹ７はＲｅＳＹＮＣ信号である。各行当り設けた２個の同期信号の組み合わせはユニークなものであり、これによって、再生時にセクタ中の行を確定することができる。１ブロックは１６のセクタから成る。ブロックのデータにはリードソロモン符号による内符号、外符号が付加されている。各セクタにはＩＤとＥＤＣが付加されている。ＩＤにはセクタ毎にユニークなセクタ番号が配されており、再生時には１ブロック中何番目のセクタかを確定することができる。また、ＥＤＣはセクタ単位に付加された誤り検出符号である。各行には１０バイトずつの内符号ＰＩ（ｎ０）、ＰＩ（ｎ１）、…、ＰＩ（ｎ９）（ｎは自然数）が付されている。また、各列には１６バイトずつの外符号が付されている（図示なし）。従って、ディスク状記録媒体から再生される信号は、１ブロック中の何行目かが確定可能になっており、これに従い１ブロックのデータを並べる。こうして配置された１ブロックのデータに対し、まず各行毎に内符号の演算を行いデータの誤りを訂正するとともに、誤りが訂正できたか、できなかったか、また、何バイトのデータを訂正したかなどの訂正結果をフラグとして残す。次に、各列毎に外符号の演算を行い、誤り訂正処理を行う。
【００１２】
外符号による誤り訂正処理ではシンドロームにより求めるシンドローム訂正と、上記のフラグにより誤り位置を特定して求めるイレージャ訂正の２通りの訂正処理を行う。シンドローム訂正では１６バイトのパリティが付加されているため、８バイトまでの誤りを訂正することができる。また、イレージャ訂正では１６バイトまでの誤りを訂正することができる。通常８バイトまでの誤りはシンドローム訂正で訂正し、９〜１６バイトまでの誤りはイレージャ訂正を行う。９〜１５バイトのイレージャ訂正の結果は、シンドロームを再演算することで結果の妥当性をチェックすることができる。
【００１３】
例えば図４のように、トラック４０１をトレースしていたピックアップが、何らかの要因でサーボが不安定となり、内側のトラック４０２にトラックジャンプしてしまい、その後、元のトラック４０１に戻る場合、すなわち、トラック４１０、４１１、４１２、４１３、４１４の順でトレースされた場合を考える。図３におけるトラックＡが、図４におけるトラック４０１に相当し、図３におけるトラックＢが図４におけるトラック４０２に相当する。この場合、トラックジャンプした先のトラックＢの部分は、行単位のデータとしては正しいものであるため、内符号による訂正処理を行ったとき、多くの場合「訂正可能」の結果になる。従って、トラックＢに対応する行に対しては、多くは「訂正可能」のフラグがつく。ここで、外符号でイレージャ訂正を行おうとすると、外符号系列ではトラックＢの行のデータとトラックＡのデータは不連続であり、トラックＢの行のデータには訂正不能のフラグが付かねばならないのに、その多くには「訂正可」のフラグが付いてしまう。フラグが正しくないため、イレージャ訂正演算を行うと誤訂正が発生し、９〜１５バイトの誤りの場合は、シンドロームによるチェックで誤りと判定され、結局、訂正が不可能となる。１６バイトの誤りではチェックができないため、誤訂正となりデータが壊されてしまう。従って、このようなトラックジャンプが生じると、１６バイトまで訂正できるはずの訂正能力が、８バイトまでの訂正能力に落ちてしまう。本第２の実施形態では、これを防ぐために、トラックＢを含むセクタ２の部分のデータを故意に破壊する。セクタ２は、トラックＡからトラックＢに切り替わるため、ＩＤは連続しなくなり、ＩＤ連続チェック手段２０１で「不連続」と判定される。従って、トラックジャンプを起こしたデータを含むセクタはＩＤ連続チェック手段２０１で検出することができる。外符号で訂正処理を行った場合、トラックＢの行のデータには全て訂正不能のフラグが付加されるため、イレージャ訂正が正しく行われ、その結果として訂正能力が向上し、データの信頼性が向上する。
上記第２の実施形態によれば、トラックずれにより他のトラックのデータが１セクタのデータ書き込まれている場合も、正しいデータ再生が可能となる。
【００１４】
図５は、本発明のデジタルデータ再生装置の第３の実施形態の説明図で、データ再生における誤り訂正処理動作の手順例を示す図である。
図５において、
（１）誤り訂正処理がスタートする（ステップＳ５０１）。
（２）ブロックｎのデータをディスク状記録媒体より読み出す（ステップＳ５０２）。
（３）上記読み出したデータに対しＰＩ訂正処理、ＰＯ訂正処理を行う（ステップＳ５０３）。
（４）上記ステップＳ５０３の誤り訂正処理において、誤り訂正が可能か否かを判別する（ステップＳ５０４）。
（５）上記ステップＳ５０４における判別の結果、訂正可能であれば、ＥＤＣ演算（ステップＳ５１３）を経て次のブロックｎ＋１の処理へと進む（ステップＳ５１０）。
（６）上記ステップＳ５０４における判別の結果、訂正不能となった場合は、各セクタに対してＥＤＣ演算を行う（ステップＳ５０５）。
（７）次に、再度ＰＩ訂正処理を行う（ステップＳ５０６）。
（８）ＰＩ訂正結果のフラグを、上記ステップＳ５０５のＥＤＣ演算でＮＧとされたセクタに対するものは「誤り有り」に置き換える（ステップＳ５０７）。
（９）次に、エラーフラグと外符号ＰＯに従い誤り訂正処理を行う（ステップＳ５０８）。
（１０）上記ステップＳ５０８の誤り訂正処理において、誤り訂正が可能か否かを判別する（ステップＳ５０９）。
（１１）上記ステップＳ５０９における判別の結果、誤り訂正が可能な場合は、ブロックｎ＋１のデータにつき誤り訂正処理を行う（ステップＳ５１０）。
（１２）さらに、最終ブロックのデータにつき誤り訂正処理を行う（ステップＳ５１１）。
【００１５】
上記のように、本発明の第３の実施形態によれば、トラックジャンプした場所が確定され、正しくフラグが付加されることにより、イレージャ訂正が可能となり、訂正能力の向上が可能となる。
【００１６】
図６は、本発明のデジタルデータ再生装置の第４の実施形態の説明図で、データ再生における誤り訂正処理動作の手順例を示す図である。
図６において、
（１）誤り訂正処理がスタートする（ステップＳ６０１）。
（２）ブロックｎのデータをディスク状記録媒体より読み出す（ステップＳ６０２）。
（３）上記読み出したデータに対しＰＩ訂正処理、ＰＯ訂正処理を行う（ステップＳ６０３）。
（４）上記ステップＳ６０３の誤り訂正処理において、誤り訂正が可能か否かを判別する（ステップＳ６０４）。
（５）上記ステップＳ６０４における判別の結果、訂正可能であれば、ＩＤの連続性のチェック（ステップＳ６１３）を経て次のブロックｎ＋１の処理へと進む（ステップＳ６１０）。
（６）上記ステップＳ６０４における判別の結果、訂正不能となった場合は、各セクタに対してＩＤの連続性のチェックを行う（ステップＳ６０５）。
（７）次に、再度ＰＩ訂正処理を行う（ステップＳ６０６）。
（８）ＰＩ訂正結果のフラグを、上記ステップＳ６０５のＩＤの連続性のチェックでＮＧとされたセクタに対するものは「誤り有り」に置き換える（ステップＳ６０７）。
（９）次に、エラーフラグと外符号ＰＯに従い誤り訂正処理を行う（ステップＳ６０８）。
（１０）上記ステップＳ６０８の誤り訂正処理において、誤り訂正が可能か否かを判別する（ステップＳ６０９）。
（１１）上記ステップＳ６０９における判別の結果、誤り訂正が可能な場合は、ブロックｎ＋１のデータにつき誤り訂正処理を行う（ステップＳ６１０）。
（１２）さらに、最終ブロックのデータにつき誤り訂正処理を行う（ステップＳ６１１）。
【００１７】
上記のように、本発明の第４の実施形態によれば、トラックジャンプした場所が確定され、正しくフラグが付加されることにより、イレージャ訂正が可能となり、訂正能力の向上が可能となる。なお、本第４の実施形態では、ＰＩ、ＰＯによる誤り訂正を２度繰り返すことを前提としているが、誤り訂正演算回路がリアルタイムで２度繰り返して訂正を行えない場合には、通常の場合は繰り返し訂正は行わず、当該ブロックで訂正不能が出た場合に、再度、ディスク状記録媒体からデータを読み出して繰り返し訂正を行うようにしてもよい。
【図面の簡単な説明】
【００１８】
【図１】本発明の第１の実施形態の構成例図である。
【図２】本発明の第２の実施形態の構成例図である。
【図３】第２の実施形態における再生信号の配置の説明図である。
【図４】第２の実施形態における記録媒体のデータトラックを示す図である。
【図５】本発明の第３の実施形態の説明図である。
【図６】本発明の第４の実施形態の説明図である。
【符号の説明】
【００１９】
１０１…ディスク状記録媒体、
１０２…スピンドルモータ、
１０４…オプティカルピックアップ、
１０５…アナログフロントエンド、
１０６…復調回路、
１１３…ＲＡＭ制御回路、
１０７…ＰＩ訂正回路、
１０８…ＰＯ訂正回路、
１０９…セクタ誤り検出回路、
１１０…フラグ書換え手段、
１１１…出力インターフェース回路、
１１２…出力端子、
２０１…ＩＤ連続性チェック手段。
【図１】
2005228417.tif 000003
【図２】
2005228417.tif 000004
【図３】
2005228417.tif 000005
【図４】
2005228417.tif 000006
【図５】
2005228417.tif 000007
【図６】
2005228417.tif 000008